(57)【要約】【課題】ユーザーの利便性を向上させることにある。【解決手段】媒体に液体を噴射するヘッドと、前記液体を収容し、液体を補充可能なタンクと、前記タンク内の液体が無いことを物理的に検出する検出器と、前記タンク内の液体量をカウントする制御部と、を備える液体噴射装置であって、前記液体量に基づいて、前記液体噴射装置の動作を停止することを特徴とする。【選択図】図６
2014046613.tif 000002
【特許請求の範囲】
【請求項１】
媒体に液体を噴射するヘッドと、
前記液体を収容し、液体を補充可能なタンクと、
前記タンク内の液体が無いことを物理的に検出する検出器と、
前記タンク内の液体量をカウントする制御部と、
を備える液体噴射装置であって、
前記液体量に基づいて、前記液体噴射装置の動作を停止する液体噴射装置。
【請求項２】
前記液体量が所定の値となったときに、前記検出器が検出していない場合に前記液体噴射装置の動作を停止する請求項１に記載の液体噴射装置。
【請求項３】
前記液体量が所定の値となる前に、前記検出器が検出した場合は、前記検出器の検出結果により前記液体噴射装置の動作を停止する請求項２に記載の液体噴射装置。
【請求項４】
前記所定の値は、前記タンクの容量より少なく、前記タンクに補充される液体容量より多い量に相当する請求項２または３に記載の液体噴射装置。
【発明の詳細な説明】
【技術分野】
【０００１】
本発明は、液体噴射装置に関する。
【背景技術】
【０００２】
液体を収容するタンクと、前記タンクに液体を充填可能な液体噴射装置は、既によく知られている。かかる液体噴射装置としては、例えば、インクジェットプリンターを挙げることができる。
【先行技術文献】
【特許文献】
【０００３】
【特許文献１】特開２０１２−１１１１６７号公報
【発明の概要】
【発明が解決しようとする課題】
【０００４】
このような液体噴射装置では、タンク内の液体の量をユーザーが目視やものさしで把握する。しかし、ユーザーが把握することを忘れると、気づかぬうちにタンク内の液体の量が無くなっている場合がある。そこで、前記タンク内の液体が無いことを物理的に検出する検出器を設けることが考えられる。しかしながら、当該検出器による検出に基づいて、液体噴射装置の制御が行われる際に、検出器が誤作動したり、検出器で検出できない問題が発生する場合があった。
【０００５】
本発明は、かかる課題に鑑みてなされたものであり、その目的とするところは、ユーザーの利便性を向上させることにある。
【課題を解決するための手段】
【０００６】
主たる本発明は、媒体に液体を噴射するヘッドと、
前記液体を収容し、液体を補充可能なタンクと、
前記タンク内の液体が無いことを物理的に検出する検出器と、
前記タンク内の液体量をカウントする制御部と、
を備える液体噴射装置であって、
前記液体量に基づいて、前記液体噴射装置の動作を停止する液体噴射装置である。  
本発明の他の特徴については、本明細書及び添付図面の記載により明らかにする。
【図面の簡単な説明】
【０００７】
【図１】プリンター１００の外観構成例を示した模式図である。
【図２】本実施の形態に係るプリンター１００の内部構造を示した説明模式図である。
【図３】本実施の形態に係るタンクケース１５０を示した説明模式図である。
【図４】充填用インク２００の販売形態を説明するための説明模式図である。
【図５】本実施の形態に係るプリンター１００の電気的構成例を示した模式図である。
【図６】インク残量の管理例について説明するための説明模式図である。
【図７】表示パネル１０７に表示されるマークの一例を示した模式図である。
【図８】表示パネル１０７に表示されるマークの一例を示した模式図である。
【図９】表示パネル１０７に表示されるマークの一例を示した模式図である。
【図１０】使用済みチップユニット１８０が装着されたときの処理について説明するための説明模式図である。
【図１１】チップユニット１８０にリードライトエラーが生じたときの処理について説明するための説明模式図である。
【図１２】チップユニット装着部１５４に不適合チップユニット１８０が装着されたときの処理を、表示パネル１０７における表示の遷移で表した遷移模式図である。
【図１３】表示パネル１０７に表示されるマークの一例を示した模式図である。
【図１４】表示パネル１０７に表示されるマークの一例を示した模式図である。
【発明を実施するための形態】
【０００８】
本明細書及び添付図面の記載により、少なくとも次のことが明らかにされる。
【０００９】
媒体に液体を噴射するヘッドと、
前記液体を収容し、液体を補充可能なタンクと、
前記タンク内の液体が無いことを物理的に検出する検出器と、
前記タンク内の液体量をカウントする制御部と、
を備える液体噴射装置であって、
前記液体量に基づいて、前記液体噴射装置の動作を停止する液体噴射装置。  
かかる液体噴射装置によれば、ユーザーの利便性を向上させることが可能となる。
【００１０】
また、前記液体量が所定の値となったときに、前記検出器が検出していない場合に前記液体噴射装置の動作を停止することとしてもよい。  
かかる場合には、ユーザーの利便性をより向上させることが可能となる。
【００１１】
また、前記液体量が所定の値となる前に、前記検出器が検出した場合は、前記検出器の検出結果により前記液体噴射装置の動作を停止することとしてもよい。  
かかる場合には、ユーザーの利便性をより向上させることが可能となる。
【００１２】
また、前記所定の値は、前記タンクの容量より少なく、前記タンクに補充される液体容量より多い量に相当することとしてもよい。  
かかる場合には、ユーザーの利便性をより一層向上させることが可能となる。
【００１３】
＝＝＝プリンター１００の構成例について＝＝＝
図１は、液体噴射装置の一例としてのインクジェットプリンター１００（以下プリンター１００と呼ぶ）の外観構成例を示した模式図である。このプリンター１００は、略箱形の外観形状をしており、前面のほぼ中央には、前面カバー１０３が設けられ、背面側には、媒体の一例としての印刷用紙１をセットする給紙トレイ１０１が設けられている。また、プリンター１００の前面側で、前面カバー１０３の隣には、複数の操作ボタン１０５が、また、プリンター１００の上面側で、操作ボタン１０５の隣には、各種の情報を表示する表示パネル１０７が、それぞれ設けられている。前面カバー１０３は下端側で軸支されており、上端側を手前に倒すと、印刷用紙１が排出される細長い排紙口１０２が現れる。給紙トレイ１０１に印刷用紙１をセットして、操作ボタン１０５を操作すると、給紙トレイ１０１から印刷用紙１が給紙される。そしてプリンター１００の内部で、印刷用紙１の表面にヘッドの一例としての噴射ヘッド１１２（図２）によって液体の一例としてのインクが噴射されて画像が形成された後、排紙口１０２から印刷用紙１が排出されるようになっている。
【００１４】
また、プリンター１００の側面には、箱形形状のタンクケース１５０が設けられている。詳細には後述するが、タンクケース１５０の内部には、インクを収容するためのタンク１５１（図２参照）が複数設けられており、印刷に用いるインクは、このタンク１５１からインクチューブ１１７（図２参照。すなわち、導管）を介して噴射ヘッド１１２に供給されるようになっている。なお、当該タンク１５１は、一般的なインクカートリッジとは異なり、プリンター１００に対して着脱不可能となっている。したがって、インクを充填する際には、タンク１５１に（当該タンク１５１の蓋１５３を開けて）直接インクを注入することになる。つまり、タンク１５１は、インクカートリッジとは異なり、インクを補充可能なものである。なお、インクが消費されて少なくなってインクを充填する必要がある状態に達したかどうかは、表示パネル１０７（インク補充を促す表示が成される）により、判断できるようになっている。なお、タンク１５１の蓋１５３は、インクを充填できればよく、タンク１５１の上側にあってもよい。
【００１５】
図２は、本実施の形態に係るプリンター１００の内部構造を示した説明模式図である。図示されるように、プリンター１００の内部には、印刷用紙１の上で往復動するキャリッジ１１０が設けられており、キャリッジ１１０には、インクを噴射する噴射ヘッド１１２が設けられている。本実施の形態のプリンター１００では、シアン（以下Ｃ）色、イエロー（以下Ｙ）色、マゼンタ（以下Ｍ）色、黒（以下ＢＫ）色の４色のインクを用いて画像を印刷可能であり、インクの色毎に噴射ヘッド１１２が設けられている。
【００１６】
キャリッジ１１０は、駆動機構１１４（図５）に駆動されて、ガイドレール１３０によってガイドされながら印刷用紙１の上で往復動を繰り返す。また、プリンター１００には紙送り機構１１６（図５）が設けられており、キャリッジ１１０が往復動する動きに合わせて印刷用紙１が少しずつ紙送りされていく。そして、キャリッジ１１０が往復動する動きと、印刷用紙１が紙送りされる動きとに合わせて、噴射ヘッド１１２から、Ｃ色のインク（以下、Ｃインク）、Ｙ色のインク（以下、Ｙインク）、Ｍ色のインク（以下、Ｍインク）、あるいはＢＫ色のインク（以下、ＢＫインク）を噴射することによって、印刷用紙１に画像が印刷される。
【００１７】
噴射ヘッド１１２から噴射されるインクは、タンクケース１５０内に設けられたタンク１５１に収容されている。本実施の形態に係るプリンター１００では、Ｃインク、Ｙインク、Ｍインク、ＢＫインクの４色のインクを使用することから、タンク１５１もインクの色毎に、Ｃインク用のタンク１５１Ｃ、Ｙインク用のタンク１５１Ｙ、Ｍインク用のタンク１５１Ｍ、およびＢＫインク用のタンク１５１ＢＫの４つのタンク１５１が設けられている。これらタンク１５１内のインクは、インクの色毎に設けられたインクチューブ１１７を介して、インクの色毎の噴射ヘッド１１２に供給される。
【００１８】
図３は、本実施の形態に係るタンクケース１５０を示した説明模式図である。図示されているように、タンクケース１５０の側面には大きな確認窓（開口）１５２が形成されており、タンクケース１５０内に収容されたＣインク用のタンク１５１Ｃ、Ｙインク用のタンク１５１Ｙ、Ｍインク用のタンク１５１Ｍ、ＢＫインク用のタンク１５１ＢＫをそれぞれ目視できるようになっている。また、それぞれのタンク１５１は、透明あるいは半透明な樹脂材料で形成されている。このため、それぞれのタンク１５１に残ったインクの液面Ｌｖの位置（すなわちインクの残量）を目視によって確認することが可能である。
【００１９】
また、タンクケース１５０の各タンク１５１の上側には、読み書き可能な記憶部材の一例としてのチップユニット１８０を装着するためのチップユニット装着部１５４が設けられている。すなわち、チップユニット１８０は、インクジェットプリンター本体に対して着脱可能となっている。本実施の形態に係るプリンター１００では、Ｃインク、Ｙインク、Ｍインク、ＢＫインクの４色のインクを使用することから、チップユニット１８０もインクの色毎に、Ｃインク用のチップユニット１８０、Ｙインク用のチップユニット１８０、Ｍインク用のチップユニット１８０、およびＢＫインク用のチップユニット１８０の４つのチップユニット１８０が備えられ、さらに、チップユニット装着部１５４もインクの色毎に、Ｃインク用のチップユニット装着部１５４Ｃ、Ｙインク用のチップユニット装着部１５４Ｙ、Ｍインク用のチップユニット装着部１５４Ｍ、およびＢＫインク用のチップユニット装着部１５４ＢＫの４つのチップユニット装着部１５４が設けられている。
【００２０】
そして、チップユニット１８０がチップユニット装着部１５４に装着された際には、チップユニット装着部１５４に備えられているチップユニット読み書き部１５６（本実施の形態においては、このチップユニット読み書き部１５６もインクの色毎に、Ｃインク用のチップユニット読み書き部１５６Ｃ、Ｙインク用のチップユニット読み書き部１５６Ｙ、Ｍインク用のチップユニット読み書き部１５６Ｍ、およびＢＫインク用のチップユニット読み書き部１５６ＢＫが備えられている。図５参照）とチップユニット１８０との間でデータ通信が実行され、チップユニット１８０からインクジェットプリンター本体へインクの色情報、インクの種類情報、インクの容量情報等が読み込まれ、また、チップユニット１８０にインクジェットプリンター本体からタンク１５１のインク量情報等が書き込まれるようになっている。
【００２１】
図４は、充填用インク２００の販売形態を説明するための説明模式図である。前述したとおり、タンク１５１内のインクがなくなってきたら、当該タンク１５１にインクを充填する必要があるが、充填用インク２００は、充填用インク容器２０２がパッケージ２０４に入れられた形態で、代理店等の販売店でユーザーに対して販売されている（なお、本実施の形態に係るプリンター１００においては、当該プリンター１００を購入した際にも、タンク１５１は空であるため、充填用インク２００を別途購入してタンク１５１にインクを入れる必要がある）。そして、チップユニット１８０は、充填用インク容器２０２に同梱され、当該充填用インク容器２０２とセットでユーザーに提供されることとなる。チップユニット１８０は、記憶するチップ片とチップ片を保持する保持部を有する。しかし、この形態に限らず、チップ片と保持部は一体であってもよいし、販売する際にチップ片だけを充填用インク容器２０２と同梱してもよい。
【００２２】
そして、ユーザーは、インク充填作業の際には、先ず、同梱されているチップユニット１８０をチップユニット装着部１５４に装着する（チップユニット装着部１５４に別の（古い）チップユニット１８０が装着されている場合には、これを抜いてから同梱されているチップユニット１８０を装着する）。そして、チップユニット１８０の装着完了後に、充填用インク容器２０２からタンク１５１へインクを注入する。なお、タンク１５１へインクを注入する際には、充填用インク容器２０２のインクを一度に全部入れる。なお、これらの事項は、プリンター１００や充填用インク２００の説明書に記載されている。
【００２３】
なお、図４には、Ｃインクに係る充填用インク２００のみを示したが、他の色の充填用インク２００についても同様である。
【００２４】
図５は、本実施の形態に係るプリンター１００の電気的構成例を示した模式図である。  
外部装置であるコンピューター３から印刷データを受信したプリンター１００は、コントローラー１４０によって前述した各ユニット（駆動機構１１４、紙送り機構１１６、噴射ヘッド１１２）を制御する。コントローラー１４０は、コンピューター３から受信した印刷データに基づいて、各ユニットを制御し、紙に画像を印刷する。プリンター１００内の状況は検出器群１５８によって監視されており、検出器群１５８は、検出結果をコントローラー１４０に出力する。コントローラー１４０は、検出器群１５８から出力された検出結果に基づいて、各ユニットを制御する。なお、コンピューター３は無くてもよい。プリンター１００に印刷データを保存した記憶媒体を装着して印刷データを得てもよいし、スキャナーと接続してスキャンした印刷データを得てもよい。
【００２５】
なお、本実施の形態に係るプリンター１００においては、検出器群１５８の一つとして、タンク１５１内のインクが無いことを物理的に検出する検出器の一例としてのインクエンド検出器１５９が、４つのタンク１５１毎に設けられている。このインクエンド検出器１５９は、本実施の形態においては、インクチューブ１１７内のインク有無を、圧力検出や電気抵抗検出やフォト検出やプリズムによる反射の違いを利用した検出により判断することにより、タンク１５１内のインクが無いことを物理的に検出する。なお、「タンク１５１内のインクが無いこと」とは、タンク１５１内にインクが全く無いことに限定されるものではなく、タンク１５１内にインクが僅かに残っていることも含む概念である（したがって、例えば、インクチューブ１１７の代わりにタンク１５１の底部に、インクエンド検出器１５９が設けられていることとしてもよい）。
【００２６】
コントローラー１４０は、プリンター１００の制御を行うための制御ユニット（制御部）である。コントローラー１４０は、インターフェイス部１４１と、ＣＰＵ１４２と、メモリー１４４と、ユニット制御部１４３とを有する。インターフェイス部１４１は、外部装置であるコンピューター３とプリンター１００との間でデータの送受信を行う。ＣＰＵ１４２は、インクジェットプリンター全体の制御を行うための演算処理装置である。メモリー１４４は、ＣＰＵ１４２のプログラムを格納する領域や作業領域等を確保するためのものであり、揮発性のメモリーであるＲＡＭ、不揮発性のメモリーであるＥＥＰＲＯＭ等の記憶素子を有する。ＣＰＵ１４２は、メモリー１４４に格納されているプログラムに従って、ユニット制御部１４３を介して各ユニットを制御する。
【００２７】
また、コントローラー１４０は、チップユニット読み書き部１５６を制御して、チップユニット１８０からデータを読み込み、また、チップユニット１８０へデータを書き込む。また、コントローラー１４０は、情報のユーザーへの提示を、表示パネル１０７を制御することにより行い、また、操作ボタン１０５及び表示パネル１０７を介してユーザーからの指示を受け取る。
【００２８】
＝＝＝インク残量の管理例について＝＝＝
上述したとおり、本実施の形態に係るプリンター１００においては、タンク１５１内のインクがなくなってきたら、当該タンク１５１にインクを充填する必要がある。そして、インクを充填する必要があることを、表示パネル１０７に表示するようになっている。そして、このことを実現するためには、タンク１５１内のインク残量の管理を行う必要がある。以下では、当該インク残量の管理例について、図６を用いて説明する。なお、インク残量の管理は、４色のインクの各々毎に行われるが、その方法については同様なので、以下では、主として、Ｃインクについて説明する。
【００２９】
また、以下で説明する動作は、主として、コントローラー１４０により実現される。特に、本実施の形態においては、メモリー１４４に格納されたプログラムをＣＰＵ１４２が処理することにより実現される。そして、このプログラムは、以下に説明される各種の動作を行うためのコードから構成されている。
【００３０】
＜＜＜印刷前の前準備について＞＞＞
プリンター１００と充填用インク２００を購入したユーザーは、先ず、充填用インク２００のパッケージ２０４を開けて充填用インク容器２０２とチップユニット１８０を取り出し、前述したとおり、最初にチップユニット１８０をチップユニット装着部１５４に装着する。すると、コントローラー１４０は、チップユニット読み書き部１５６を制御して、以下の動作を行う。
【００３１】
コントローラー１４０は、チップユニット１８０から色情報を読み取り、メモリー１４４に予め設定された色情報と照合する。予め設定された色情報とはインクの色情報やインクの種類情報などである。例えば、チップユニット１８０がＣインク用のチップユニット装着部１５４Ｃに装着された場合に、インクの色情報がＣインクを示していることを確認する。
【００３２】
また、インクの種類情報として例えば、水系のインクであるか溶剤系のインクであるか等がプリンター１００に適合していることを確認する。
【００３３】
そして、双方の確認結果が良好であれば、コントローラー１４０は、さらにチップユニット１８０からその他の情報を読み取る。その他の情報とは、充填用インク容器２０２に入っているインクの容量情報や、インクの使用期限などである。コントローラー１４０はチップユニット１８０から読み込み後、後述するメモリー１４４に保存されている消費量を０に更新したり、インクの容量情報を更新する。本実施の形態においては、説明の便宜上、充填用インク容器２０２には１０００グラムのインクが入っており、インクの容量情報が示す容量（インク容量と呼ぶ）は１０００グラムとする。
【００３４】
そして、チップユニット１８０の装着完了後に、充填用インク容器２０２からタンク１５１へ１０００グラムのインクが注がれると、プリンター１００は印刷可能な状態となる。
【００３５】
＜＜＜インク使用量の推定方法について＞＞＞
本実施の形態に係るプリンター１００においては、インクの使用量（プリンター１００により消費される消費量）は、実測されるのではなく、以下のような公知の方法により推定される。
【００３６】
すなわち、コントローラー１４０は、前述した印刷データを解析して、ドットの数をカウントする。そして、ドットあたりのインク使用量とカウント数との乗算により、インク使用量を推定する。他に、インクを噴射するときの駆動回数と噴射重量との乗算によってもよい。
【００３７】
ここで、当然のことながら、ドットあたりのインク使用量には公差が存在する。例えば、プリンター１００の個体差によって、当該ドットあたりのインク使用量が微小に変化する。また、同じプリンター１００であっても、プリンター１００が置かれる環境によって、当該ドットあたりのインク使用量が微小に変化する（例えば、高温度低湿度環境においてはインク使用量がより大きくなる傾向にあり、逆に、低温度高湿度環境においてはインク使用量がより少なくなる傾向にある）。そこで、本実施の形態においては、公差範囲内で最大の（ドットあたりの）インク使用量を用いて、前記乗算を行う。例えば、公差ａが６パーセントであり、公差範囲内で最大のインク使用量がＱｍａｘグラム、最小のインク使用量がＱｍｉｎグラムとすると、Ｑｍａｘ／Ｑｍｉｎ−１＝０．０６が成り立ち、実際のインク使用量はＱｍｉｎとＱｍａｘとの間でばらつくが、インク使用量の推定はＱｍａｘを用いて行う。
【００３８】
なお、画像を形成するためのインク使用以外のインクの使用（例えば、フラッシングやクリーニングなどのメンテナンス）についても、どの程度のインクが使用されるかが同様に推定される。そして、かかる際にも、公差範囲内で最大のインク使用量を用いて推定が行われる。このため、インク使用量は画像を形成するために使用するインク量とメンテナンスに使用するインク量の合計である。
【００３９】
また、以下では、便宜上、公差範囲内で最も多くインクを消費する（インク消費スピードが速い）仮想的なプリンターのことをＭａｘプリンターと呼び、最も少なくインクを消費する（インク消費スピードが遅い）プリンターのことをＭｉｎプリンターと呼ぶ。
【００４０】
＜＜＜消費カウンターが１００パーセントに達した際の動作について＞＞＞
プリンター１００において印刷が行われると、徐々にインクが消費されることとなる。そして、コントローラー１４０は、これに伴い前述した推定インク使用量を加算していく（加算され累積された推定のインク量を消費量と呼ぶ）。
【００４１】
なお、本実施の形態においては、消費量が変化する毎に、前述したメモリー１４４に消費量が保存され、管理される。また、コントローラー１４０は、消費量／インク容量×１００の計算を行い、インクの使用量をパーセントで管理する。これを、本実施の形態では、消費カウンターと呼ぶ。消費カウンターは、計算が行われる毎に、チップユニット１８０に書き込まれる。チップユニット１８０の消費カウンターは、装着するときは０パーセントであり、インクを使用し、書き込まれるに従い増えていく。
【００４２】
印刷が繰り返し行われると、やがて、消費量がインク容量（すなわち、１０００グラム）に達する（換言すれば、消費カウンターが１００パーセントに達する）。そして、かかる際には、コントローラー１４０は、以下の処理を実行する。
【００４３】
すなわち、コントローラー１４０は、表示パネル１０７に、タンク１５１へのインクの再充填の必要性を示唆する表示を行う。具体的には、「チップユニット交換時期、チップユニットを交換してください。」とのメッセージ（便宜上、交換時期メッセージと呼ぶ。図６のＢ１欄（すなわち、２行目のＢ行と１列目の１列のＢ行１列のセル））と共に、白背景に描かれた黄色の三角内に感嘆符が書かれたマーク（図８参照）を表示する。なお、図８において、Ｃのみに上記マークが表されているのは、Ｃインクについて再充填が必要となったのであり他のインクの再充填は必要ないことを意味している。また、通常の（すなわち、消費カウンターが１００パーセントに達する前の）表示パネル１０７の表示は、「印刷可能」とのメッセージ（図６のＡ１欄）と共に図７に示したマークが表示されたものとなっており、前記交換時期メッセージ及び図８のマークは、ここからの変更となる。
【００４４】
ここで、図７から図８への変更について、Ｃインクのマークを例に挙げて（他の色についても同様である）、さらに説明する。図７及び図８に示されているように、当該マークは、上段側四角部と下段側四角部とを備えている。下段側四角部の中央には、シアン色を示す表示、すなわち、「Ｃ」が、シアン色に塗られた背景にシアン色以外の色（本実施の形態では、白）で書かれている。一方、図７に示されているように、上段側四角部の右端部には、シアン色で塗られた縦長の帯状部が存在し、当該帯状部内において、９０度回転された「Ｃ」がシアン色に塗られた背景にシアン色以外の色（本実施の形態では、白）で書かれている。
【００４５】
そして、図７から図８への変更においては、図８から明らかなように、下段側四角部は変わらないが、上段側四角部は変わることとなる。すなわち、上段側四角部は、色（シアン色）を示す表示から色（シアン色）を示さない表示へ変わることとなる（つまり、マークの一部が、色を示さない表示へ変わる）。
【００４６】
なお、色（シアン色）を示す表示から色（シアン色）を示さない表示への変更は、背景の色のみが無くなる場合と、「Ｃ」のみがなくなる場合と、両方がなくなる場合（本実施形態は、これに相当）が有り得る。また、上段側四角部の変形例として、帯状部を雫状の部分としてもよく、当該部分をシアン色に塗るようにしてもよい（また、「Ｃ」はなくてもよい）。これらは、インクが無くなったことをイメージさせるような図や記載であってもよいし、チップユニット１８０が交換必要であることをイメージさせるような図や記載であってもよい。
【００４７】
また、コントローラー１４０は、消費カウンターが１００パーセントに達した際に、チップユニット１８０へのタンク１５１の消費カウンターの書き込みを止める（より具体的には、消費カウンターが１００パーセントに達すると、最後のチップユニット１８０への書き込みを行いチップ無効フラグの書き込みを行ってから、その後の書き込みを止める。図６のＢ２欄、Ｃ２欄、Ｄ２欄）。すなわち、チップユニット１８０が記憶する消費カウンターが更新される状態から更新されない状態への移行がなされることとなる。
【００４８】
本実施の形態に係るコントローラー１４０は、前記インク量をインクジェットプリンター本体内のメモリー１４４とインクジェットプリンター本体外のチップユニット１８０とで共有すべく、消費量が変化する毎に、メモリー１４４へのインク量情報の書き込みを行うだけでなく、チップユニット１８０への消費カウンターの書き込み（ただし、チップユニット１８０への書き込みインターバルは、メモリー１４４への書き込みインターバルよりも大きくなっている（例えば、消費量が２グラム変化する毎にチップユニット１８０への書き込みを行う））も行うようになっている（図６のＡ２欄）。すなわち、チップユニット１８０が記憶する消費カウンターが更新されるようになっている。しかしながら、消費カウンターが１００パーセントに達した際には、チップユニット１８０への書き込み情報も１００パーセントを越えることとなるため、もはや書き込みの必要がなくなり、当該書き込みを止めることとなる（一方で、メモリー１４４への書き込みは継続される）。
【００４９】
なお、本実施の形態においては、前述したとおり、チップユニット１８０へは、タンク１５１のインク量（請求項のタンクの液体量に相当）として、インクの使用量（消費量）をパーセントで表した消費カウンター情報を書き込むこととしている。その一方で、メモリー１４４へは、当該インク量（請求項の制御部が記憶した液体量に相当）として、消費カウンター情報ではなく、消費量情報を書き込むこととしている。すなわち、本実施の形態においては、チップユニット１８０に係る前記インク量として、消費カウンターを例に挙げたが、これに限定されるものでなく、消費量であってもよいし、インク容量から消費量を引いた推定インク残量であってもよいし、推定インク残量をパーセントで表したものであってもよい。また、メモリー１４４に係る前記インク量として、消費量を挙げたが、これに限定されるものでなく、推定インク残量であってもよいし、消費量や推定インク残量をパーセントで表したものであってもよい。
【００５０】
ところで、通常は、印刷が実行されている際（換言すれば、噴射ヘッド１１２によるインクの噴射が行われている際）に、消費カウンターが１００パーセントに達する（つまり、消費量がインク容量に達する）こととなるが、かかる状態となっても印刷処理は継続される（図６のＡ３欄とＢ３欄）。すなわち、消費カウンターが１００パーセントに達したからといって、実行されていた印刷処理が停止することはない。
【００５１】
また、前述のとおり、タンク１５１へのインクの再充填の必要性を示唆する表示が、表示パネル１０７に成されると、ユーザーは、インクの再充填作業を実施する。つまり、ユーザーは、先ず、チップユニット装着部１５４からチップユニット１８０を抜いてから、新しい充填用インク容器２０２に同梱されている新しいチップユニット１８０をチップユニット装着部１５４に装着し、チップユニット１８０の装着完了後に、当該充填用インク容器２０２からタンク１５１へインクを注入する。そして、かかる再充填作業の実施の際にも、同様に、印刷処理は継続される。
【００５２】
その理由について、説明する。前述したとおり、本実施の形態においては、公差範囲内で最大のインク使用量であるＱｍａｘを用いてインク使用量の推定をおこなっている。最大のインク使用量である確率は小さいため、多くの場合において消費量は、実際のインク使用累積量を上回って推移することとなる。したがって、消費量がインク容量に達した場合（消費カウンターが１００パーセントに達した場合）でも、実際のインク使用累積量はインク容量に達しておらず、インクは未だ残存していることとなる。
【００５３】
具体的な数値例を示すと、プリンター１００が仮に前述したＭａｘプリンターであった場合には、消費量がインク容量（１０００グラム）に達した場合に、実際のインク使用累積量もインク容量（１０００グラム）に達し、残存インク量は０となる。一方で、プリンター１００が仮に前述したＭｉｎプリンターであった場合には、消費量がインク容量（１０００グラム）に達した場合に、実際のインク使用累積量は９４３グラム（＝１０００／（１＋０．０６））となり、残存インク量は５７グラムとなる。したがって、少なくとも０≦残存インク量≦５７グラムの間で、インクが残存していることとなる。
【００５４】
また、本実施の形態に係るプリンター１００においては、チップユニットがインクカートリッジと一体化されているインクカートリッジ式のプリンターとは異なり、チップユニット１８０がタンク１５１と一体化されているわけではないので、チップユニット１８０が抜かれてもタンク１５１は本体側に存在したままとなる。すなわち、本実施の形態に係るプリンター１００においては、再充填作業の実施の際に、タンク１５１がインクジェットプリンター本体から取り外される状況が生じない。
【００５５】
このように、消費カウンターが１００パーセントに達した際及び再充填作業の実施の際には、インクが残存したタンク１５１が本体側に存在したままとなっているので、実行されていた印刷処理が停止されず、印刷処理は継続されることとなる。
【００５６】
なお、上記においては、消費カウンターが１００パーセントに達した場合に、チップユニット１８０が抜かれてもプリンター１００は動作を停止しない点を説明したが（図６のＢ４欄）、一方で、消費カウンターが１００パーセントに達する前に、チップユニット１８０が抜かれた場合には、プリンター１００は動作を停止するようになっている（印刷が行われている場合、印刷処理の停止。図６のＡ４欄）。これは、消費カウンターが１００パーセントに達する前にインクを充填するとタンク１５１からインクがあふれる可能性がある。そのため、インクを再充填すべきではなく、したがって、チップユニット１８０が抜かれるタイミングではないため、このことを警告するためである。なお、本実施の形態に係るコントローラー１４０は、印刷処理の停止を行うと共に、表示パネル１０７に、チップユニット１８０の再装着を促す表示を行う。具体的には、「チップユニットなし、チップユニットを装着してください。」とのメッセージと共に、白背景に描かれた赤色の円内に×が書かれたマーク（図９参照）を表示する。
【００５７】
＜＜＜消費カウンターが１０６（１００＋公差ａ）パーセントに達した際の動作について＞＞＞
前述したとおり、消費カウンターが１００パーセントに達すると、タンク１５１へのインクの再充填の必要性を示唆する表示が表示パネル１０７に成されるが、ユーザーがすぐにインクの再充填作業を実施しない場合も有り得る。そして、かかる状態で、印刷が繰り返し行われると、やがて、消費カウンターが１０６（１００＋公差ａ）パーセントに達する。そして、かかる際には、コントローラー１４０は、以下の処理を実行する。
【００５８】
すなわち、コントローラー１４０は、表示パネル１０７に、印刷の停止を予告する表示を行う。具体的には、「チップユニットを交換しないと、印刷が一次停止します。」とのメッセージ（便宜上、印刷停止予告メッセージと呼ぶ。図６のＣ１欄）と共に、白背景に描かれた黄色の三角内に感嘆符が書かれた前記マーク（図８参照）を点灯状態から点滅状態へ変える。そして、かかる状態となっても印刷処理は継続される（図６のＣ３欄）。
【００５９】
また、印刷の停止を予告する表示が表示パネル１０７に成された結果、ユーザーが前述したインクの再充填作業を実施した場合にも、同様に、印刷処理は継続される（図６のＣ４欄）。
【００６０】
なお、消費カウンターが１０６（１００＋公差ａ）パーセントに達するタイミングとは、プリンター１００がＭｉｎプリンターであった場合でも、実際のインク累積使用量がインク容量（１０００グラム）に達し、残存インク量が０となるタイミングである。したがって、消費カウンターが１０６（１００＋公差ａ）パーセントに達した際には、印刷停止予告でなく、印刷停止を行う必要があるようにも思えるが、以下の理由から（以下の状況が生じ得ることを考慮して）そのようにはしていない。
【００６１】
当該生じ得る状況について説明する。インクジェットプリンターが、仮にＭｉｎプリンターである場合に、消費カウンターが１００パーセントに達した際には、インクは残存しており、その量は５７グラムとなる（つまり、実際のインク使用累積量は９４３グラム）。そして、かかる際に、ユーザーが、タンク１５１へのインクの再充填の必要性を示唆する表示に基づいて、直ちにインクの再充填作業を実施するとした場合には、実際のインク量は１０５７グラムとなる。
【００６２】
コントローラー１４０は、実際のインク量が１０５７グラムであることを認識できず、新たに取り付けられたチップユニット１８０のインクの容量情報が示すインク容量（つまり、１０００グラム）に基づいて、消費カウンターを算出する。そのため、実際のインク使用累積量が９４３グラムになった際に、消費カウンターが１００パーセントに達し、このときの残存インク量は、１１４グラム（＝１０５６−９４３＝５７×２）となる。このように、ユーザーがインクの再充填作業を行う毎に、５７グラムの残存インクがタンク１５１に溜まっていく現象が生ずることになる。
【００６３】
そして、かかる状況で、消費カウンターが１０６（１００＋公差ａ）パーセントに達した際に印刷停止を行うようにした場合には、以下の不都合が生じ得る。
【００６４】
例えば、再充填作業が１回行われた後に、消費カウンターが１００パーセントに達した際には、タンク１５１には、１１４グラム（＝（１０００−９４３）×１＋１０００−９４３）のインクが存在することになる。そして、かかる際にも（すなわち、かなりの量のインクが残っているのに）、タンク１５１へのインクの再充填の必要性を示唆する表示が成されることとなる。そして、かかる場合には、ユーザーは、今までとは異なり、このタイミングでは、インクの再充填作業を行わない可能性がある（前述したとおり、確認窓（開口）１５２からの目視もできるようになっている）。
【００６５】
そして、インクの再充填作業をしないまま暫くすると、消費カウンターが１０６（１００＋公差ａ）パーセントに達し、印刷が停止される。この場合には、印刷が停止されたことを受け、殆どのユーザーがインクの再充填作業を行うことが予想できる。そして、このときのタンク１５１には、５７グラム（＝（１０００−９４３）×１＋１０００−１０００）のインクが存在することになり、インクが再充填されると、実際のインク量は１０５７グラム（＝（１０００−９４３）×１＋（１０００−１０００）＋１０００）となる。
【００６６】
そして、次に、消費カウンターが１０６（１００＋公差ａ）パーセントに達し、印刷が停止された際に、ユーザーはインクの再充填作業を再度行うが、このときのタンク１５１には、前回と同様、５７グラム（＝（１０００−９４３）×１＋（１０００−１０００）＋１０００−１０００）のインクが存在することとなる。すなわち、最初に溜まった５７グラム（＝（１０００−９４３）×１）分のインクは、以降の再充填作業を何回繰り返しても減らず、ユーザーは、インクが残っている状態で、再充填作業をし続けることとなる。
【００６７】
これに対し、本実施の形態においては、消費カウンターが１０６（１００＋公差ａ）パーセントに達した際に、印刷停止ではなく、印刷停止予告としている。そのため、ユーザーが、目視等でインクが残っていることを確認できた場合に、印刷処理の実行を維持しながら自らの判断で再充填作業の実施時期を少し先延ばしにでき、このことにより、最初に溜まった５７グラム（＝（１０００−９４３）×１）分のインクを減らすことが可能となる。
【００６８】
なお、再充填を１回も行っていない状況においては、消費カウンターが１０６（１００＋公差ａ）パーセントに達した際には、インクは残っていない状態となる。したがって、かかる状態においては、印刷停止予告では不都合に思えるが、本実施の形態においては、この場合に、前述した物理的なインクエンド検出器１５９が働くようになっている（当該不都合が生じないようになっている）。
【００６９】
すなわち、本実施の形態においては、インクエンド検出器１５９がタンク１５１内のインクが無いことを検出し、コントローラー１４０が当該検出結果を受け取った際には、消費カウンターの値にかかわらず（消費カウンターの値がどの値であっても）、印刷処理を停止させるようになっている。そして、インクが無くインクの再充填が必要であることを表示パネル１０７に表示する。具体的には、「インク残量、限界値以下。インクを補充してください。インクを補充しおわったらＯＫを押してください。」とのメッセージを表示する。
【００７０】
＜＜＜消費カウンターが１１２（１００＋公差２ａ）パーセントに達した際の動作について＞＞＞
前述したとおり、消費カウンターが１０６（１００＋公差ａ）パーセントに達しても、ユーザーは、印刷処理の実行を維持しながら自らの判断で再充填作業の実施時期を少し先延ばしにできる。そして、かかる状態で、印刷が繰り返し行われると、やがて、消費カウンターが１１２（１００＋公差２ａ）パーセントに達する。そして、かかる際には、コントローラー１４０は、以下の処理を実行する。
【００７１】
すなわち、コントローラー１４０は、印刷処理を停止し（図６のＤ３欄）、チップユニット１８０の交換時期超過の旨を表示パネル１０７に表示する。具体的には、「チップユニット交換時期超過、チップユニットを交換して下さい」とのメッセージ（便宜上、交換時期超過メッセージと呼ぶ。図６のＤ１欄）と共に、白背景に描かれた赤色の円内に×が書かれたマーク（図９参照）を表示する。
【００７２】
なお、本実施の形態においては、印刷が停止される当該タイミングを、タンク１５１の容積に基づいて定めている。
【００７３】
すなわち、本実施の形態においては、タンク１５１の容積を、インク１０５７グラム分の容積としている。そのため、これより多い量のインクがタンク１５１に存在することはない。したがって、公差範囲内でどんなにインク消費スピードが遅いプリンター（Ｍｉｎプリンター）であっても、消費カウンターが１１２（１００＋公差２ａ）パーセントに達した際には、タンク１５１は空になっていることとなる。
【００７４】
このように、本実施の形態では、ＭａｘプリンターからＭｉｎプリンターまでのどのプリンター１００においてもタンク１５１の容積分のインクを使い切ってしまうタイミング（インク量）を、印刷が停止されるタイミング（消費カウンター）としている。これは、当該消費カウンターよりも多い実インク量（例えば、１５０パーセント）を、印刷を停止するタイミングとなる消費カウンターとしても、容積より多くのインクが存在することはありえないので、無意味となるからである。かかる観点に基づいた場合には、ＭａｘプリンターからＭｉｎプリンターまでのどのプリンター１００においてもタンク１５１の容積分のインクを使い切ってしまう消費カウンターに相当するインク量を、印刷が停止するタイミングとするのが好ましいこととなる。なお、以上の動作は、物理的なインクエンド検出器でインク無しを検出されなかった場合である。物理的なインクエンド検出器でインク無しを検出した場合は、その検出結果に基づきインクエンドと判断して、プリンター１００の動作を停止する。
【００７５】
＜＜＜変形例について＞＞＞
上記実施の形態においては、タンク１５１の容積を、インク１０５７グラム分の容積とした。すなわち、タンク１５１の容積を、プリンター１００がＭｉｎプリンターであった場合に消費カウンターが１１２（１００＋公差２ａ）パーセントに達した際に、タンク１５１が空になる容積とした。しかしながら、これに限定されるものではなく、例えば、これよりも多い容積としてもよい。
【００７６】
また、上記実施の形態においては、充填用インク容器２０２に入っているインクの量を、チップユニット１８０に記憶されたインクの容量情報が示す容量と丁度同じ（いずれも１０００グラム）としたが、これに限定されるものではない。例えば、当該容量よりも充填用インク容器２０２に入っているインクの量が少し多いこととしてもよい。
【００７７】
＝＝＝チップユニット１８０装着の際の異常処理例について＝＝＝
上述したとおり、本実施の形態に係るプリンター１００においては、タンク１５１にインクを再充填する際に（これらの作業の一環として）、チップユニット１８０をチップユニット装着部１５４に装着する。しかしながら、かかる際に、何らかの異常が発生する可能性がある。以下では、当該異常が発生したときのコントローラー１４０の処理例（異常処理とも呼ぶ）について、図１０乃至図１２を用いて説明する。
【００７８】
図１０は、使用済みチップユニット１８０が装着されたときの処理について説明するための説明模式図である。図１１は、チップユニット１８０にリードライトエラーが生じたときの処理について説明するための説明模式図である。図１２は、チップユニット装着部１５４に不適合チップユニット１８０が装着されたときの処理を、表示パネル１０７における表示の遷移で表した遷移模式図である。
【００７９】
なお、当該異常処理は、４色のインクに対応したチップユニット１８０の各々毎に行われるが、その処理については同様なので、以下では、主として、Ｃインクに対応したチップユニット１８０について説明する。
【００８０】
また、以下で説明する動作は、主として、コントローラー１４０により実現される。特に、本実施の形態においては、メモリー１４４に格納されたプログラムをＣＰＵ１４２が処理することにより実現される。そして、このプログラムは、以下に説明される各種の動作を行うためのコードから構成されている。
【００８１】
＜＜＜使用済みチップユニット１８０が装着されたときの処理について＞＞＞
前述したとおり、消費カウンターが１００パーセントに達した際には、チップユニット１８０にチップ無効フラグが書き込まれ、当該チップユニット１８０は使用済みチップユニットとなる。そして、使えなくなった当該使用済みチップユニット１８０は、インクの再充填作業の実施の際に、新しいチップユニット１８０との交換のためにチップユニット装着部１５４から抜かれるが、その後適切に廃棄されず、ユーザーにより誤って再装着される場合がある。そして、かかる場合には、コントローラー１４０は、以下の処理を実行する。
【００８２】
なお、コントローラー１４０は、消費カウンターが１００パーセントに達する前と達した後とで、異なる処理を実行する。そのため、以下では、双方を分けて説明する。
【００８３】
＜消費カウンターが１００パーセントに達する前の処理＞
消費カウンターが１００パーセントに達する前に、コントローラー１４０が、使用済みチップユニット１８０の読み込みを行い、前記チップ無効フラグを認識すると、以下の処理を実行する。
【００８４】
すなわち、コントローラー１４０は、表示パネル１０７に、交換時期が超過した（すなわち、使用済みの）チップユニット１８０が装着された旨の表示を行う。具体的には、「チップユニット交換時期超過、チップユニットを交換してください。」とのメッセージ（便宜上、交換時期超過メッセージと呼ぶ。図１０のＡ１欄）と共に、白背景に描かれた赤色の円内に×が書かれたマーク（図９参照）を表示する。
【００８５】
なお、前述したとおり、消費カウンターが１００パーセントに達する前に、印刷処理が実行されている場合には、チップユニット１８０が抜かれると、コントローラー１４０は当該印刷処理を停止する。そのため、使用済みチップユニット１８０を装着する際には、印刷処理は既に停止していることとなる（図１０のＡ２欄）。
【００８６】
＜消費カウンターが１００パーセントに達した後の処理＞
消費カウンターが１００パーセントに達した後に、表示パネルの表示に基づいて、ユーザーが前述したインクの再充填作業を実施する際に、ユーザーは、先ず、チップユニット装着部１５４からチップユニット１８０を抜いてから、新しい充填用インク容器２０２に同梱されている新しいチップユニット１８０をチップユニット装着部１５４に装着する。しかしながら、ユーザーが、誤って、新しいチップユニット１８０ではなく、使用済みチップユニット１８０を装着してしまう場合がある。かかる場合に、コントローラー１４０が、使用済みチップユニット１８０の読み込みを行い、前記チップ無効フラグを認識すると、以下の処理を実行する。
【００８７】
コントローラー１４０は、使用済みチップユニット１８０ではなく新しいチップユニット１８０（正規のチップユニット１８０）を認識した場合（チップ無効フラグを認識しなかった場合）には、表示パネルの表示を消去する。例えば、「チップユニット交換時期、チップユニットを交換してください。」とのメッセージ（図６のＢ１欄）と共に、白背景に描かれた黄色の三角内に感嘆符が書かれたマーク（図８参照）が表示（点灯）されていた場合には、これらを消去し、「チップユニットを交換しないと、印刷が一次停止します。」とのメッセージ（図６のＣ１欄）と共に、白背景に描かれた黄色の三角内に感嘆符が書かれた前記マーク（図８参照）が表示（点滅）されていた場合には、これらを消去する。
【００８８】
しかしながら、コントローラー１４０が使用済みチップユニット１８０（チップ無効フラグ）を認識した場合には、これらのメッセージやマークの表示を維持する（の表示を消去しない）処理を実行する（図１０のＢ１欄）。すなわち、「チップユニット交換時期、チップユニットを交換してください。」とのメッセージ（図６のＢ１欄）と共に、白背景に描かれた黄色の三角内に感嘆符が書かれたマーク（図８参照）が表示（点灯）されていた場合には、これらを維持し、「チップユニットを交換しないと、印刷が一次停止します。」とのメッセージ（図６のＣ１欄）と共に、白背景に描かれた黄色の三角内に感嘆符が書かれた前記マーク（図８参照）が表示（点滅）されていた場合には、これらを維持する。
【００８９】
さらに、コントローラー１４０は、印刷処理が行われている場合には、この印刷処理を停止させることはしない。すなわち、印刷処理も、同様に維持されることとなる（図１０のＢ２欄）。
【００９０】
なお、このようにした理由は、以下の通りである。すなわち、使用済みチップユニット１８０を装着しただけで、印刷を停止させてしまうのは、ユーザーへ与える損失が大きすぎる。また、「チップユニット交換時期超過、チップユニットを交換してください。」とのメッセージや図９のマークへ表示を変えずに、既に出ている表示を維持したのは（消去しないのみとしたのは）、表示を変えるとユーザーが驚いて（インパクトを受けて）印刷を停止させてしまう可能性が高くなるからである（既に出ている表示が変わらないことに気付いたユーザーが、印刷を停止させることなく、使用済みチップユニット１８０を正規のチップユニット１８０に交換することを、期待したものである）。
【００９１】
＜＜＜チップユニット１８０にリードライトエラーが生じたときの処理について＞＞＞
チップユニット１８０がチップユニット装着部１５４に装着された際に、リードライトエラー（すなわち、読み書き不良）が生じる場合がある。そして、かかる場合には、コントローラー１４０は、以下の処理を実行する。
【００９２】
なお、コントローラー１４０は、消費カウンターが１００パーセントに達する前と達した後とで、異なる処理を実行する。そのため、以下では、双方を分けて説明する。
【００９３】
＜消費カウンターが１００パーセントに達する前の処理＞
消費カウンターが１００パーセントに達する前に、コントローラー１４０が、リードライトエラーを認識すると、以下の処理を実行する。
【００９４】
すなわち、コントローラー１４０は、表示パネル１０７に、リードライトエラーが生じた旨の表示を行う。具体的には、「チップユニットエラー、正しく認識できません。チップユニットをセットし直すか、交換してください。」とのメッセージ（便宜上、チップユニットエラーメッセージと呼ぶ。図１１のＡ１欄）と共に、市松模様の背景に描かれた赤色の円内に×が書かれたマーク（図１３参照）を表示する。
【００９５】
なお、「チップユニットをセットし直すか」をメッセージの文言の中に含ませた理由は、リードライトエラーは一時的なもの（例えば、ゴミがチップユニット１８０とチップユニット装着部１５４との間に挟まれていることが原因となっている場合等）であり、セットし直せば問題なく直るケースもあるからである。また、背景として市松模様を採用したのは、背景の模様を無地から変えてリードライトエラーであることを強調するためである。
【００９６】
なお、前述したとおり、消費カウンターが１００パーセントに達する前に、印刷処理が実行されている場合には、チップユニット１８０が抜かれると、コントローラー１４０は当該印刷処理を停止する。そのため、使用済みチップユニット１８０を装着する際には、印刷処理は既に停止していることとなる（図１１のＡ２欄）。
【００９７】
＜消費カウンターが１００パーセントに達した後の処理＞
消費カウンターが１００パーセントに達した後に、表示パネルの表示に基づいて、ユーザーが前述したインクの再充填作業を実施する際に、ユーザーは、先ず、チップユニット装着部１５４からチップユニット１８０を抜いてから、新しい充填用インク容器２０２に同梱されている新しいチップユニット１８０をチップユニット装着部１５４に装着する。そして、かかる際に、コントローラー１４０が、リードライトエラーを認識すると、以下の処理を実行する。
【００９８】
コントローラー１４０は、新しいチップユニット１８０を正しく認識した場合（リードライトエラーを認識しなかった場合）には、表示パネルの表示を消去する。例えば、「チップユニット交換時期、チップユニットを交換してください。」とのメッセージ（図６のＢ１欄）と共に、白背景に描かれた黄色の三角内に感嘆符が書かれたマーク（図８参照）が表示（点灯）されていた場合には、これらを消去し、「チップユニットを交換しないと、印刷が一次停止します。」とのメッセージ（図６のＣ１欄）と共に、白背景に描かれた黄色の三角内に感嘆符が書かれた前記マーク（図８参照）が表示（点滅）されていた場合には、これらを消去する。
【００９９】
しかしながら、コントローラー１４０がリードライトエラーを認識した場合には、これらのメッセージやマークの表示を微修正した表示を行う（図１１のＢ１欄）。すなわち、「チップユニット交換時期、チップユニットを交換してください。」とのメッセージ（図６のＢ１欄）と共に、白背景に描かれた黄色の三角内に感嘆符が書かれたマーク（図８参照）が表示（点灯）されていた場合には、当該メッセージを微修正した「チップユニット交換時期、セットし直すか、交換してください。」とのメッセージと共に、当該マークを微修正した市松模様の背景に描かれた黄色の三角内に感嘆符が書かれたマーク（図１４参照）を表示（点灯）する。
【０１００】
また、「チップユニットを交換しないと、印刷が一次停止します。」とのメッセージ（図６のＣ１欄）と共に、白背景に描かれた黄色の三角内に感嘆符が書かれた前記マーク（図８参照）が表示（点滅）されていた場合には、当該メッセージを微修正した「チップユニットをセットし直すか、交換しないと、一次停止します。」とのメッセージと共に、当該マークを微修正した市松模様の背景に描かれた黄色の三角内に感嘆符が書かれたマーク（図１４参照）を表示（点滅）する。
【０１０１】
さらに、コントローラー１４０は、印刷処理が行われている場合には、この印刷処理を停止させることはしない。すなわち、印刷処理も、同様に維持されることとなる（図１１のＢ２欄）。
【０１０２】
なお、このようにした理由は、以下の通りである。すなわち、リードライトエラーとなっただけで、印刷を停止させてしまうのは、ユーザーへ与える損失が大きすぎる。また、「チップユニットエラー、正しく認識できません。チップユニットをセットし直すか、交換してください。」とのメッセージや図１３のマークへ表示を大きく変えることとせずに、既に出ている表示を微修正することとしたのは、表示を大きく変えるとユーザーが驚いて（インパクトを受けて）印刷を停止させてしまう可能性が高くなるからである（既に出ている表示が微修正されるだけで消去されないことに気付いたユーザーが、印刷を停止させることなく、チップユニット１８０をセットし直すか、交換することを、期待したものである）。
【０１０３】
＜＜＜チップユニット装着部１５４に不適合チップユニット１８０が装着されたときの処理について＞＞＞
前述したとおり、コントローラー１４０は、チップユニット装着部１５４にチップユニット１８０が装着されると、当該チップユニット装着部１５４に適合したチップユニット１８０が適切に装着されたか否かを確認する。
【０１０４】
例えば、チップユニット１８０がＣインク用のチップユニット装着部１５４Ｃに装着された際に、チップユニット１８０からインクの色情報を読み込んで、当該チップユニット１８０がＣインク用のチップユニットであり、他色インク用のチップユニットでないことを確認する。
【０１０５】
また、水系のインクを用いるプリンター１００に備えられたチップユニット装着部１５４にチップユニット１８０が装着された際に、チップユニット１８０からインクの種類情報を読み込んで、当該チップユニット１８０が水系インク用のチップユニットであり、他系インク用のチップユニットでないことを確認する。
【０１０６】
そして、かかる際に、チップユニット装着部１５４に不適合チップユニット１８０が装着されたことが確認された場合（前記他色インク用のチップユニットであることが確認された場合や前記他系インク用のチップユニットであることが確認された場合）には、コントローラー１４０は、以下の処理を実行する。すなわち、チップユニット１８０が所定の場所（正しい場所）に装着されなかったときに、以下の処理を実行する。
【０１０７】
すなわち、コントローラー１４０は、表示パネル１０７に、誤装着の旨の表示を行う。具体的には、「チップユニットエラー、正しく認識できません。」とのメッセージを表示する（図１２のＦ１）。
【０１０８】
また、コントローラー１４０は、このメッセージに加えて、確認してインクをタンク１５１に注入したか否かについての第一選択肢を表示する。具体的には、「インク容器と本機のラベルを照合して注入しましたか？」とのメッセージを表示する（図１２のＦ１）。
【０１０９】
図示はしていないが、本実施の形態に係る充填用インク容器２０２には、ラベルが貼付されており、当該ラベルには、対応するインクジェットプリンターの型番（インクの種類を表す情報に相当する）とインクの色とが記載されている。一方で、本実施の形態に係るプリンター１００においては、４色のタンク１５１の各々毎に４つのラベルが貼付され、当該ラベルには、インクの色とプリンター１００の型番が記載されている。そして、コントローラー１４０は、充填用インク容器２０２のラベル上の記載とプリンター１００本体のラベル上の記載とを照合してインクの注入を行ったか否かをユーザーに質問する。
【０１１０】
ここで、ユーザーが、照合を行った上で、チップユニット１８０装着の次作業としてインクのタンク１５１への注入を実施した（実施済みである）場合には、当該ユーザーは、「はい」（肯定に相当）を選択する。具体的には、ユーザーは、表示パネル１０７にタッチして、「はい」を選択し（但し、本実施の形態においては、「はい」がデフォルトになっているので、必ずしも「はい」を選択する必要はない）、その後「[ＯＫ]決定」を選択する（図１２のＦ１）。なお、本実施の形態に係るプリンター１００においては、同様の操作が、操作ボタン１０５を押すことによっても、できるようになっている。
【０１１１】
第一選択肢に対し肯定の旨の回答が入力された際、すなわち、「はい」が選択された際には、コントローラー１４０は、当該肯定の旨の回答を示す情報を受信する。そして、当該情報を受信したコントローラー１４０は、表示パネル１０７に、チップユニット１８０の交換を促す表示を行う。具体的には、「チップユニットエラー、正しく認識できません。チップユニットを交換してください。」とのメッセージと共に、市松模様の背景に描かれた赤色の円内に×が書かれたマークを表示する（図１２のＦ２）。
【０１１２】
これは、ユーザーが、照合を行った上で、チップユニット１８０装着の次作業としてインクのタンク１５１への注入を実施した場合には、タンク１５１には正規のインクが注入されている（インクの注入については問題ない）と考えられ、チップユニット１８０の装着のみに問題（誤装着）があるので、このような表示をさせることとしたものである。
【０１１３】
一方で、ユーザーが、照合を行わないで、チップユニット１８０装着の次作業としてインクのタンク１５１への注入を実施した（実施済みである）場合（以下、第一ケースと呼ぶ）には、当該ユーザーは、「いいえ」（否定に相当）を選択する。また、チップユニット１８０の装着を行ったのみで、未だインクの注入を実施していない場合（以下、第二ケースと呼ぶ）にも、ユーザーは「いいえ」（否定に相当）を選択することとなる。
【０１１４】
具体的には、ユーザーは、表示パネル１０７にタッチして、「いいえ」を選択し、その後「[ＯＫ]決定」を選択する（図１２のＦ１）。
【０１１５】
第一選択肢に対し否定の旨の回答が入力された際、すなわち、「いいえ」が選択された際には、コントローラー１４０は、当該否定の旨の回答を示す情報を受信する。そして、当該情報を受信したコントローラー１４０は、表示パネル１０７に、誤装着の旨と照合の必要性の旨の表示を行う。具体的には、「チップユニットエラー、インク容器と本機のラベルを照合して下さい。」とのメッセージを表示する（図１２のＦ３）。
【０１１６】
また、コントローラー１４０は、このメッセージに加えて、タンク１５１内に間違ったインクが入っているか否かについての第二選択肢を表示する。具体的には、「指定外のインクがタンクに入っていますか？」とのメッセージを表示する（図１２のＦ３）。なお、タンク１５１内に間違ったインクが入っているか否かについての第二選択肢として、「指定外のインクをタンクに入れましたか？」とのメッセージを表示することとしてもよいが、この表現方法は、慌てたユーザーが指定外のインクをタンク１５１に入れてしまうことを誘発する表現なので、図１２のＦ３のメッセージの方がより好ましい。
【０１１７】
ここで、前記第二ケースの場合、すなわち、ユーザーが、チップユニット１８０の装着を行ったのみで、未だインクの注入を実施していない場合には、当該ユーザーは、「いいえ」（否定に相当）を選択する。具体的には、ユーザーは、表示パネル１０７にタッチして、「いいえ」を選択し（但し、本実施の形態においては、「いいえ」がデフォルトになっているので、必ずしも「いいえ」を選択する必要はない）、その後「[ＯＫ]決定」を選択する（図１２のＦ３）。
【０１１８】
第二選択肢に対し否定の旨の回答が入力された際、すなわち、「いいえ」が選択された際には、コントローラー１４０は、当該否定の旨の回答を示す情報を受信する。そして、当該情報を受信したコントローラー１４０は、表示パネル１０７に、チップユニット１８０の交換を促す表示を行う。具体的には、「チップユニットエラー、正しく認識できません。チップユニットを交換してください。」とのメッセージと共に、市松模様の背景に描かれた赤色の円内に×が書かれたマークを表示する（図１２のＦ２）。
【０１１９】
これは、タンク１５１には未だインクが注入されていないので、インクの注入についての問題は存在しないと考えられ、チップユニット１８０の装着のみに問題（誤装着）があるので、このような表示をさせることとしたものである。
【０１２０】
一方、前記第一ケースの場合、すなわち、ユーザーが、照合を行わないで、チップユニット１８０装着の次作業としてインクのタンク１５１への注入を実施した（実施済みである）場合には、当該ユーザーは、「はい」（肯定に相当）を選択する。具体的には、ユーザーは、表示パネル１０７にタッチして、「はい」を選択し、その後「[ＯＫ]決定」を選択する（図１２のＦ３）。
【０１２１】
第二選択肢に対し肯定の旨の回答が入力された際、すなわち、「はい」が選択された際には、コントローラー１４０は、当該肯定の旨の回答を示す情報を受信する。そして、当該情報を受信したコントローラー１４０は、表示パネル１０７に、プリンター１００の製造会社への連絡を促す表示を行う。具体的には、「サービスコール、インクシステム系エラー２１３６（なお、左記番号はエラー番号である）、上記番号をサービスコールセンターに連絡して下さい」とのメッセージを表示する（図１２のＦ４）。なお、センターの電話番号やメールアドレスや修理申し込みのためのホームページを表示することとしてもよいし、当該メールアドレスやホームページに向けてエラー番号等を自動送信するようにしてもよく、本願ではこれらを含めて、連絡を促す表示とする。
【０１２２】
これは、ユーザーが、照合を行わないで、チップユニット１８０装着の次作業としてインクのタンク１５１への注入を実施した場合には、タンク１５１には非正規のインクが注入されている（インクの注入について問題がある）と考えられ、プリンター１００の破損（互いに異なるインクがタンク１５１内で混ざり合ってしまい、実質的にプリンター１００が使用不能となってしまうこと）の可能性があるので、このような表示（例えば、サービスエンジニアを呼ぶための表示）をさせることとしたものである。
【０１２３】
また、かかる際には、問題の解決までに（例えば、サービスエンジニアが到着するまでに）、プリンター１００の使用を禁じるために、電源を切るためのボタンが表示パネル１０７に表示される（図１２のＦ４）。ユーザーは、表示パネル１０７にタッチして、当該ボタンを選択し、プリンター１００の電源を切ることとなる。
【０１２４】
ところで、ユーザーは、電源を切った後にサービスエンジニアの到着を待つが、急ぎの用事のために、破損覚悟でプリンター１００を使用しなければならない状況に陥る場合がある。そして、本実施の形態に係るプリンター１００は、ユーザーの利便性を重視する目的で、このような状況に対応することができるようになっている。
【０１２５】
ユーザーが、プリンター１００を使用するために、電源をＯＮすると、コントローラー１４０は、表示パネル１０７に、「インク混合エラー、インクシステム系エラー２１３６」とのメッセージを表示するが、このメッセージに加えて、修理を行ったか否かについての第三選択肢を表示する。具体的には、「弊社または弊社指定のサービスエンジニアが修理しましたか？」とのメッセージを表示する（図１２のＦ５）。
【０１２６】
ここで、ユーザーが、前記状況にある場合には、当該ユーザーは、「はい」（肯定に相当）を選択することができる。具体的には、ユーザーは、表示パネル１０７にタッチして、「はい」を選択し、その後「[ＯＫ]決定」を選択する（図１２のＦ５）。本来、プリンター１００が修理後に正常な状態に復帰した際に、「はい」が選択されることを想定しているが、このように、未修理状態でもユーザーの判断で「はい」を選択できるようになっている。
【０１２７】
そして、第三選択肢に対し肯定の旨の回答が入力された際、すなわち、「はい」が選択された際には、コントローラー１４０は、ユーザーがプリンター１００を使用できるようにプリンター１００を待機状態とする。
【０１２８】
なお、本実施の形態においては、「はい」が選択された際に、コントローラー１４０がログを取る様になっているため、後にサービスエンジニアが修理に来た際に、上記操作が行われたことが分かるようになっている。
【０１２９】
一方で、ユーザーが修理を待つ場合には、当該ユーザーは、「いいえ」（否定に相当）を選択する。具体的には、ユーザーは、表示パネル１０７にタッチして、「いいえ」を選択し（但し、本実施の形態においては、「いいえ」がデフォルトになっているので、必ずしも「いいえ」を選択する必要はない）、その後「[ＯＫ]決定」を選択する（図１２のＦ５）。
【０１３０】
そして、第三選択肢に対し否定の旨の回答が入力された際、すなわち、「いいえ」が選択された際には、コントローラー１４０は、再度、表示パネル１０７に、図１２のＦ４の表示を行う。
【０１３１】
＝＝＝本実施の形態に係る液体噴射装置の有効性について＝＝＝
上述した通り、本実施の形態に係る液体噴射装置は、印刷用紙１にインクを噴射する噴射ヘッド１１２と、インクを収容し、インクを補充可能なタンク１５１と、タンク１５１内のインクが無いことを物理的に検出するインクエンド検出器１５９と、タンク１５１内のインク量をカウントする制御部（コントローラー１４０が、これに相当する）と、を備えている。そして、当該インク量に基づいて、液体噴射装置の動作（具体的には、印刷処理）を停止するようになっている（図６のＤ３欄）。
【０１３２】
すなわち、本実施の形態においては、物理的なインクエンド検出器１５９の他にソフト的な検出部を備えており、液体噴射装置の動作の停止を、物理的なインクエンド検出器１５９のみに頼らずに済むようになっている。
【０１３３】
そのため、何らかの要因でインクエンド検出器１５９が故障した場合であっても、制御部によりカウントされたインク量に基づいて、液体噴射装置の動作が適切に停止されるので、かかる場合であっても、インクが無い状態で印刷が行われるという問題の発生を抑止することができる。
【０１３４】
また、噴射ヘッド１１２に目詰まりが生じて、インクが噴射されない問題が発生する場合がある。そして、当該問題が続いても、物理的にはインクは減少しないため、インクエンド検出器１５９では当該問題を検知することができない。しかしながら、当該問題が続くことにより、制御部によるカウントは進むため、本実施の形態においては、制御部によりカウントされたインク量に基づいて、当該問題を検知することができ、適切に液体噴射装置の動作を停止することができる。
【０１３５】
このように、本実施の形態に係る液体噴射装置によれば、ユーザーの不利益となる問題が適切に抑止され、ユーザーの利便性が向上することとなる。
【０１３６】
また、本実施の形態においては、インク量が所定の値となったときに、インクエンド検出器１５９が検出していない場合に液体噴射装置の動作を停止することとしたため、当該所定の値を適切な量に設定することのみで、ユーザーの不利益となる問題が適切に抑止され、ユーザーの利便性がより向上することとなる。
【０１３７】
また、本実施の形態においては、インク量が所定の値となる前に、インクエンド検出器１５９が検出した場合は、インクエンド検出器１５９の検出結果により液体噴射装置の動作を停止することとしたため、ユーザーの利便性がより向上することとなる。
【０１３８】
＝＝＝その他の実施の形態＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１３９】
上記実施の形態においては、液体吐出装置（液体噴射装置）をインクジェット式プリンターに具体化したが、インク以外の他の液体を噴射したり吐出したりする液体噴射装置を採用してもよく、微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうち何れか一種の噴射装置に本発明を適用することができる。
【０１４０】
また、上記実施の形態においては、各種の表示をプリンター１００に設けられた表示パネル１０７に行うこととしたが、これに限定されるものではなく、例えば、プリンタードライバーがインストールされたコンピューターの表示装置（ディスプレイ）に行うこととしてもよい。そして、この場合には、表示に係る制御は、プリンタードライバーやプリンタードライバーとコントローラー１４０との協働により行われる。すなわち、上記実施の形態においては、表示制御部として、コントローラー１４０を例に挙げたが、これに限定されるものではなく、プリンタードライバーであってもよいし。プリンタードライバー及びコントローラー１４０であってもよい。
【０１４１】
また、上記実施の形態においては、インク量が所定の値となったときに、インクエンド検出器１５９が検出していない場合に液体噴射装置の動作を停止することとしたが、当該所定の値は、タンク１５１の容量（例えば、タンク１５１の容積）より少なく、タンク１５１に補充される液体容量（例えば、充填用インク容器２０２に入っているインクの量）より多い量に相当することとしてもよい（ここで、「相当する」とは、ばらつきも含めて換算した値も含める意味である）。
【０１４２】
このようにした場合には、インクがフル充填されているタンク１５１内のインクが無くなってインクエンド検出器１５９が作動する前に、ソフト的な検出部が働く状況となり得るため、ユーザーの不利益となる問題がより適切に抑止され、ユーザーの利便性がより一層向上することとなる。
【符号の説明】
【０１４３】
１  印刷用紙、３  コンピューター
１００  プリンター
１０１  給紙トレイ、１０２  排紙口、１０３  前面カバー
１０５  操作ボタン、１０７  表示パネル
１１０  キャリッジ、１１２  噴射ヘッド
１１４  駆動機構、１１６  紙送り機構
１１７  インクチューブ、１３０  ガイドレール
１４０  コントローラー、１４１  インターフェイス部
１４２  ＣＰＵ、１４３  ユニット制御部、１４４  メモリー
１５０  タンクケース、１５１  タンク
１５１Ｙ  Ｙインク用のタンク
１５１Ｍ  Ｍインク用のタンク
１５１Ｃ  Ｃインク用のタンク
１５１ＢＫ  ＢＫインク用のタンク
１５２  確認窓（開口）、１５３  蓋
１５４  チップユニット装着部
１５４Ｙ  Ｙインク用のチップユニット装着部
１５４Ｍ  Ｍインク用のチップユニット装着部
１５４Ｃ  Ｃインク用のチップユニット装着部
１５４ＢＫ  ＢＫインク用のチップユニット装着部
１５６  チップユニット読み書き部
１５６Ｙ  Ｙインク用のチップユニット読み書き部
１５６Ｍ  Ｍインク用のチップユニット読み書き部
１５６Ｃ  Ｃインク用のチップユニット読み書き部
１５６ＢＫ  ＢＫインク用のチップユニット読み書き部
１５８  検出器群、１５９  インクエンド検出器
１８０  チップユニット
２００  充填用インク、２０２  充填用インク容器、２０４  パッケージ
【図１】
2014046613.tif 000003
【図２】
2014046613.tif 000004
【図３】
2014046613.tif 000005
【図４】
2014046613.tif 000006
【図５】
2014046613.tif 000007
【図６】
2014046613.tif 000008
【図７】
2014046613.tif 000009
【図８】
2014046613.tif 000010
【図９】
2014046613.tif 000011
【図１０】
2014046613.tif 000012
【図１１】
2014046613.tif 000013
【図１３】
2014046613.tif 000014
【図１４】
2014046613.tif 000015
【図１２】
2014046613.tif 000016